(57)【特許請求の範囲】
【請求項１】
（Ａ）背面が平滑面で前面の両側縁に肉厚の脚部が突出している溝形鉄筋コンクリート矢板の脚部の両側端面の背面側に切欠き部を設けると共に、該切欠き部周辺の非切欠き部に定着板及びナットを埋設しておき、（Ｂ）該溝形鉄筋コンクリート矢板の打ち込み後、該埋設ナットの位置、数に対応したボルト孔ならびにタイロッド挿通孔を有する背面金具を先端部に取付けたタイロッドの先端部を隣接する該溝形鉄筋コンクリート矢板の該非切欠き部に跨がって当接し、（Ｃ）取付けボルトを該埋設ナットに螺着し、タイロッドの先端を該切欠き部内に収納しながらタイロッドの一端を溝形鉄筋コンクリート矢板の背面に固定し、（Ｄ）タイロッドの他端を控え矢板に固定することを特徴とする溝形鉄筋コンクリート矢板へのタイロッドの取付け方法。
【請求項２】
（Ａ）前面が平滑面で背面の両側縁に肉厚の脚部が突出している溝形鉄筋コンクリート矢板の脚部の両側端面の前面側に切欠き部を設けると共に、該切欠き部底面から背面に至る切込みを設け、（Ｂ）かつ、該切欠き部の底面には定着板を、該切欠き部の背面側にはナットを、それぞれ埋設しておき、（Ｃ）該溝形鉄筋コンクリート矢板の打ち込み後、該埋設ナットの位置、数に対応したボルト孔ならびにタイロッド挿通孔を有する背面金具を、ボルト孔に挿通した取付けボルトを該埋設ナットに螺着することによって、隣接する該溝形鉄筋コンクリート矢板の接合部に跨がって背面に取付け、（Ｄ）タイロッドの一端を背面金具のタイロッド挿通孔及び該切込みに挿通して先端部を該切欠き部に突出させ、その先端部に取付けナットを螺着してタイロッドの先端を該切欠き部内に収納しながらタイロッドの一端を溝形鉄筋コンクリート矢板の前面に固定し、（Ｅ）タイロッドの他端を控え矢板に固定することを特徴とする溝形鉄筋コンクリート矢板へのタイロッドの取付け方法。
【発明の詳細な説明】
【０００１】
【発明の属する技術分野】
本発明は、主として河川や海洋の護岸壁として使用される控え式の溝形鉄筋コンクリート矢板へのタイロッドの取付け方法に関するものである。
【０００２】
【従来の技術】
溝形鉄筋コンクリート矢板は河川や海洋の護岸壁などとして広く使用されており、その際、背後の地山側に埋設した控え矢板とタイロッドにより連結して支持し、所謂控え式矢板として使用することも多い。この場合、タイロッドの矢板への取付位置が高く矢板の頭部である場合は図６に示すようにタイロッド２を溝形鉄筋コンクリート矢板１を貫通させ、腹起こし材である上下二本一組の溝形綱５の間隙を通過させて先端部にナット９を螺合して溝形綱５を挟んで矢板前面に固定するのが一般的である。この取付部は暫くして笠コンクリート７に包み込まれるので美観上や溝形綱の防錆上特に問題になることはない。
【０００３】
ところが、タイロッドを矢板の笠コンクリート７に包み込まれない低い位置に取付けることが必要になることがあり、この場合には美観上や溝形綱の防錆上などの理由で溝形綱５及びタイロッド２を溝形鉄筋コンクリート矢板１の背面側に固定することが要求される。この場合、溝形鉄筋コンクリート矢板１の背面に溝形綱５を直接取付けたのでは、溝形綱５にタイロッド２を固定（ボルト締め）するためのスペースを確保することができないため、図７に示すように、まず、溝形鉄筋コンクリート矢板１の背面にスペース確保のための箱金具１２を取付けておき、この箱金具１２に溝形綱５を取付けるのが一般的である。
【０００４】
【発明が解決しようとする課題】
箱金具は比較的大形の金具であり、その使用個数も多いので、この箱金具の取付けのために多くの手間と費用が掛かる結果となっていた。そのため、スペース確保のための箱金具を必要としないタイロッドの取付け方法の出現が望まれている。
【０００５】
【課題を解決するための手段】
本発明は、かかる要望に応えスペース確保のための箱金具を使用せず、溝形鉄筋コンクリート矢板の笠コンクリートに包み込まれない低い位置の背面側にタイロッドを取付ける方法を提供することを目的とする。
【０００６】
本願の請求項１に係る取付け方法は、（Ａ）背面が平滑面で前面の両側縁に肉厚の脚部が突出している溝形鉄筋コンクリート矢板の脚部の両側端面の背面側に切欠き部を設けると共に、該切欠き部周辺の非切欠き部に定着板及びナットを埋設しておき、（Ｂ）該溝形鉄筋コンクリート矢板の打ち込み後、該埋設ナットの位置、数に対応したボルト孔ならびにタイロッド挿通孔を有する背面金具を先端部に取付けたタイロッドの先端部を隣接する該溝形鉄筋コンクリート矢板の該非切欠き部に跨がって当接し、（Ｃ）取付けボルトを該埋設ナットに螺着し、タイロッドの先端を該切欠き部内に収納しながらタイロッドの一端を溝形鉄筋コンクリート矢板の背面に固定し、（Ｄ）タイロッドの他端を控え矢板に固定することを特徴とする。
【０００７】
請求項２に係る取付け方法は、（Ａ）前面が平滑面で背面の両側縁に肉厚の脚部が突出している溝形鉄筋コンクリート矢板の脚部の両側端面の前面側に切欠き部を設けると共に、該切欠き部底面から背面に至る切込みを設け、（Ｂ）かつ、該切欠き部の底面には定着板を、該切欠き部の背面側にはナットを、それぞれ埋設しておき、（Ｃ）該溝形鉄筋コンクリート矢板の打ち込み後、該埋設ナットの位置、数に対応したボルト孔ならびにタイロッド挿通孔を有する背面金具を、ボルト孔に挿通した取付けボルトを該埋設ナットに螺着することによって、隣接する該溝形鉄筋コンクリート矢板の接合部に跨がって背面に取付け、（Ｄ）タイロッドの一端を背面金具のタイロッド挿通孔及び該切込みに挿通して先端部を該切欠き部に突出させ、その先端部に取付けナットを螺着してタイロッドの先端を該切欠き部内に収納しながらタイロッドの一端を溝形鉄筋コンクリート矢板の前面に固定し、（Ｅ）タイロッドの他端を控え矢板に固定することを特徴とする。
【０００８】
請求項１に係る発明は溝形鉄筋コンクリート矢板を脚部を前面（水路側）、平滑面を背面（地山側）として使用する場合であり、請求項２に係る発明は、逆に溝形鉄筋コンクリート矢板を脚部を背面（地山側）、平滑面を前面（水路側）として使用する場合であるが、両請求項に係る発明に共通している第１の要点は、溝形鉄筋コンクリート矢板の所定の位置に予めタイロッド用の切欠き部を設けておき、この切欠き部にタイロッド先端のボルト締め部を収納可能とした点である。切欠き部を設けることによりタイロッド先端のボルト締め部は切欠き部に収納されるので、従来スペース確保のために必須であった箱金具は不要となる。
【０００９】
両請求項に係る発明に共通している第２の要点は、従来の腹起し材である上下二本一組の溝形綱に代えて軽装備の背面金具を使用し、この背面金具により隣接する溝形鉄筋コンクリート矢板を相互に連結するとともに、この背面金具を介してタイロッドを取付ける点である。従来は腹起し材を特に必要としない場合でもタイロッド取付けのために腹起し材が使用されていたが、この結果、腹起し材の必要でない構築物の構築は一層コストが低下し、省力化される。
【００１０】
なお、請求項２に係る発明では、タイロッドのボルト締め部は矢板前面の切欠き部内に収納され、矢板の前面に固定されるので、厳密な意味ではタイロッドを矢板の背面に取付けることにはならないかも知れない。しかし、取付け作業は殆どが背面側で行なわれ、前面に露出するのは切欠き部とタイロッド先端のみであり、しかも、この切欠き部はタイロッド取付け後、モルタルが充填されるか景観パネルで覆われて露出することはなく、美観や防錆上問題になることはないので、請求項２に係る方法も背面取付けの範疇に含めることとした。
【００１１】
【発明の実施の形態】
以下図面を参照しながら、本願各請求項に係る発明の実施の形態を説明する。
【００１２】
図１は請求項１に係る発明の実施の一例を示し（ａ）は立面図、（ｂ）は（ａ）のＡ−Ａ断面図である。図２は請求項１、請求項２に係る発明で使用する背面金具の一例を示し（ａ）は立面図、（ｂ）は平面図、（ｃ）は側面図である。図３は請求項１に係る発明で使用する溝形鉄筋コンクリート矢板の一例の切欠き部周辺を示し、（ａ）は正面図、（ｂ）は横断面図である。図４は請求項２に係る発明の実施の一例を示し（ａ）は立面図、（ｂ）は（ａ）のＡ−Ａ断面図である。図５は請求項２に係る発明で使用する溝形鉄筋コンクリート矢板の一例の切欠き部周辺を示し、（ａ）は正面図、（ｂ）は横断面図である。
【００１３】
請求項１に係る発明の実施の一例を説明する。（図１〜図３参照）
（１）溝形鉄筋コンクリート矢板１の平滑面を背面として使用する。溝形鉄筋コンクリート矢板１の両側端面の背面側に断面半円形の切欠き部１０が設けられ、切欠き部１０周辺の非切欠き部に定着板８と２個のナット３が埋設されている。
【００１４】
（２）複数の溝形鉄筋コンクリート矢板１を凹凸継手で接合しながら、敷設方向に順次打ち込むと接合部の切欠き部１０周辺は図３に図示する状態となる。
【００１５】
（３）一方、図２に図示する背面金具４を準備する。背面金具４の底板には中心にタイロッド挿通孔４ｂが、周りに４個のボルト孔４ａが穿孔されている。この背面金具４のタイロッド挿通孔４ｂにタイロッド２の先端を通し、先端にナット９を螺着して背面金具４をタイロッド２の先端部に取付けておく。
【００１６】
（４）背面金具４を先端部に取付けたタイロッド２を接合部の切欠き部１０周辺に当接し、背面金具４のボルト孔４ａに通したボルトを埋設ナット３に螺着すると、背面金具４は溝形鉄筋コンクリート矢板１の背面に固定されると同時にタイロッド２の先端部は切欠き部１０内に収納される。これでタイロッド２の一端は溝形鉄筋コンクリート矢板１の背面に固定される。
【００１７】
（５）タイロッド２の他端を控え矢板６に上下２本１組の溝形綱５を介して固定してタイロッド２の取付けが終了する。
【００１８】
なお、タイロッド２の取付けは溝形鉄筋コンクリート矢板１の打ち込み毎に行なってもよいし、相当数の溝形鉄筋コンクリート矢板１を打ち込んだ後、纏めて行なってもよい。また、各箇所のボルト締めに際しては適宜支圧板やワッシャーが使用される。
【００１９】
請求項２に係る発明の実施の一例を説明する。（図２、図４、図５参照）
（１）溝形鉄筋コンクリート矢板１の平滑面を前面として使用する。溝形鉄筋コンクリート矢板１の両側端面の前面側に箱形の切欠き部１０が設けられ、切欠き部１０底面から背面に至る切込み１１が設けられている。そして、切欠き部１０の底面には定着板８が埋設され、切欠き部１０の背面側には背面に開口してナット３が埋設されている。
【００２０】
（２）複数の溝形鉄筋コンクリート矢板１を凹凸継手で接合しながら、敷設方向に順次打ち込むと接合部の切欠き部１０周辺は図５に図示する状態となる。
【００２１】
（３）一方、図２に図示する背面金具４を準備する。背面金具４の底板には中心にタイロッド挿通孔４ｂが、周りに４個のボルト孔４ａが穿孔されている。
【００２２】
（４）背面金具４のボルト孔４ａにボルトを通し、埋設ナット３に螺着して背面金具４を切欠き部１０の背面側に固定する。
【００２３】
（５）背面側からタイロッド２の先端を背面金具４のタイロッド挿通孔、切込み１１の順に挿通して、先端を前面側の切欠き部１０内に突出させ、その突出部にナット９を螺着してタイロッド２の一端を溝形鉄筋コンクリート矢板１に固定する。
【００２４】
（６）タイロッド２の他端を控え矢板６に上下２本１組の溝形綱５を介して固定してタイロッド２の取付けが終了する。
【００２５】
なお、タイロッド２の取付けは溝形鉄筋コンクリート矢板１の打ち込み毎に行なってもよいし、相当数の溝形鉄筋コンクリート矢板１を打ち込んだ後、纏めて行なってもよい。また、各箇所のボルト締めに際しては適宜支圧板やワッシャーが使用される。
【００２６】
【発明の効果】
本願の両請求項に係る発明は以上の通り構成されているので、以下の効果を奏する。（１）タイロッド先端のボルト締め部は切欠き部に収納され、従来、ボルト締め部のためのスペースを確保するために使用することが必須であった箱金具が不要となり、コスト低下、省力化に大きく寄与する。（２）さらに、タイロッド取付けのために必須であった腹起し材の取付けに代えて、背面金具の取付けを採用したので一層軽装備となり、より一層のコストが低下、省力化が図られる。
【図面の簡単な説明】
【図１】請求項１に係る発明の実施の一例を示し（ａ）は立面図、（ｂ）は（ａ）のＡ−Ａ断面図である。
【図２】請求項１、請求項２に係る発明で使用する背面金具の一例を示し（ａ）は立面図、（ｂ）は平面図、（ｃ）は側面図である。
【図３】請求項１に係る発明で使用する溝形鉄筋コンクリート矢板の一例の切欠き部周辺を示し、（ａ）は正面図、（ｂ）は横断面図である。
【図４】請求項２に係る発明の実施の一例を示し（ａ）は立面図、（ｂ）は（ａ）のＡ−Ａ断面図である。
【図５】請求項２に係る発明で使用する溝形鉄筋コンクリート矢板の一例の切欠き部周辺を示し、（ａ）は正面図、（ｂ）は横断面図である。
【図６】従来の前面取付け法を示す縦断面図である。
【図７】従来の背面取付け法を示し、（ａ）、（ｂ）は平面図、（ｃ）は縦断面図である。
【符号の説明】
１……溝形鉄筋コンクリート矢板、２……タイロッド、３……埋設ナット、４……背面金具、４ａ……ボルト孔、４ｂ……タイロッド挿通孔、５……溝形綱、６……控え矢板、７……笠コンクリート、８……定着板、９……ナット、１０……切欠き部、１１……切込み、１２……箱金具、１３……支圧板、１４……ボルト。
【図１】
0003844389.tif 000002
【図２】
0003844389.tif 000003
【図３】
0003844389.tif 000004
【図４】
0003844389.tif 000005
【図５】
0003844389.tif 000006
【図６】
0003844389.tif 000007
【図７】
0003844389.tif 000008